(57)【要約】【課題】ディスプレイ部が本体部に対して所定の角度で展開され、チルト状態で水平方向に回転させて本体部を傾けて使用できるようにした携帯用電子機器を提供すること。【解決手段】本発明に係る携帯用電子機器は、本体部１０と、ディスプレイ部３０と、本体部１０とディスプレイ部３０とを垂直方向及び水平方向に回転可能なように連結する回転ヒンジ組立体と、本体部１０の後端に設けられ、この後端の高さを調節するチルトスタンド４０とを備えている。【選択図】  図１Ａ
2004342114.tif 000002
【特許請求の範囲】
【請求項１】
本体部と、
前記本体部に回転自在に連結され、入力内容などが表示されるディスプレイ部と、
前記本体部の後端に回転自在に連結され、前記本体部の後端の高さを調節するように設けられているチルトスタンドと、
を備えることを特徴とする携帯用電子機器。
【請求項２】
前記本体部は、少なくとも一つの入力装置を備えることを特徴とする請求項１に記載の携帯用電子機器。
【請求項３】
前記入力装置は、前記本体部の上面に設けられていることを特徴とする請求項２に記載の携帯用電子機器。
【請求項４】
前記チルトスタンドは、前記本体部の後端の側面の長さに対応する長さを有する支持バーを備えることを特徴とする請求項１に記載の携帯用電子機器。
【請求項５】
前記チルトスタンドは、前記支持バーから延長されて前記本体部の後端にヒンジ結合される少なくとも一つのヒンジ連結バーをさらに備えることを特徴とする請求項４に記載の携帯用電子機器。
【請求項６】
前記支持バーは、前記本体部と前記ディスプレイ部の後端との間の間隔に該当する幅を有し、前記本体部の後端上面と前記ディスプレイ部の後端に対応する位置に、前記ヒンジ連結バーの先端を中心として回転自在に設けられることを特徴とする請求項５に記載の携帯用電子機器。
【請求項７】
前記ヒンジ連結バーの回転軸線は、前記本体部の後端の下側部分に位置することを特徴とする請求項６に記載の携帯用電子機器。
【請求項８】
前記ヒンジ連結バーは、２つ以上であることを特徴とする請求項６に記載の携帯用電子機器。
【請求項９】
前記ヒンジ連結バーは、複数の位置の一つに前記ヒンジ連結バーを解除可能にロックするために、前記本体部上に設けられる複数の凹溝の一つに嵌合するように設けられた凸部を備えることを特徴とする請求項６に記載の携帯用電子機器。
【請求項１０】
前記チルトスタンドは、前記ディスプレイ部を通じた入力を可能にする入力ペンが挿入されるペン挿入部をさらに備えることを特徴とする請求項１に記載の携帯用電子機器。
【請求項１１】
前記本体部と前記ディスプレイ部とを連結して前記ディスプレイ部を垂直方向及び水平方向に回転可能とする回転ヒンジ組立体をさらに備えることを特徴とする請求項１に記載の携帯用電子機器。
【請求項１２】
前記回転ヒンジ組立体は、
前記本体部に固定される第１のフレームと、
前記ディスプレイ部に連結され、ほぼ垂直方向に延びる軸線回りに前記第１のフレームに対してほぼ水平面内で前記ディスプレイ部の回転を可能にする第２のフレームと、
前記ディスプレイ部をほぼ水平方向に延びる回転軸線回りに回転可能とするほぼ水平方向に延びる回転軸と、
を備えることを特徴とする請求項１１に記載の携帯用電子機器。
【請求項１３】
前記電子機器は、携帯可能な機器であることを特徴とする請求項１に記載の携帯用電子機器。
【請求項１４】
下部ボディと、
前記下部ボディと一端が連結されて開閉可能な上部ボディと、
前記下部ボディの後端にヒンジ結合されるスタンドとを備え、
前記スタンドは、前記下部ボディの高さを調節することを特徴とする携帯用電子機器。
【請求項１５】
前記上部ボディは、ディスプレイ部であることを特徴とする請求項１４に記載の携帯用電子機器。
【請求項１６】
前記スタンドは、前記下部ボディの左右の幅と同じ長さを有しかつ前記上部ボディ及び前記下部ボディの厚さに相当する幅を有することを特徴とする請求項１４に記載の携帯用電子機器。
【請求項１７】
前記スタンドは、前記上部ボディ及び前記下部ボディの少なくとも一つの側面の長さに相当する長さを有する支持バーと、前記支持バーから垂直に延長されて前記下部ボディの後端にヒンジ結合される少なくとも一つのヒンジ連結バーとから構成されることを特徴とする請求項１４に記載の携帯用電子機器。
【請求項１８】
前記ヒンジ連結バーの回転軸線は、前記下部ボディの後端の下側部分に位置することを特徴とする請求項１７に記載の携帯用電子機器。
【請求項１９】
前記支持バーの一端には、スタイラスペンが挿入できる長手方向の孔部が設けられていることを特徴とする請求項１７に記載の携帯用電子機器。
【請求項２０】
前記支持バーの一面には、前記携帯用電子機器の載置面との接触時に衝撃を吸収する緩衝部材が設けられていることを特徴とする請求項１７に記載の携帯用電子機器。
【請求項２１】
前記ヒンジ連結バーは、複数の位置の一つに前記ヒンジ連結バーを解除可能にロックするために、前記下部ボディ上に設けられる複数の凹溝の一つに嵌合するように設けられた凸部を備えることを特徴とする請求項１７に記載の携帯用電子機器。
【請求項２２】
前記下部ボディと前記上部ボディとを連結し、前記上部ボディを前記下部ボディに対して水平方向及び垂直方向に回転可能とする回転ヒンジ組立体をさらに備えることを特徴とする請求項１４に記載の携帯用電子機器。
【請求項２３】
前記回転ヒンジ組立体は、
前記下部ボディに固定される第１のフレームと、
前記上部ボディに連結され、ほぼ垂直方向に延びる軸線回りに前記第１のフレームに対してほぼ水平面上で前記上部ボディの回転を可能にする第２のフレームと、
前記上部ボディをほぼ水平方向に延びる軸線回りに回転可能とするほぼ水平方向に延長する回転軸と、
を備えることを特徴とする請求項２２に記載の携帯用電子機器。
【請求項２４】
前記電子機器は、携帯可能な機器であることを特徴とする請求項１４に記載の携帯用電子機器。
【発明の詳細な説明】
【技術分野】
【０００１】
本発明は、携帯用電子機器に関し、より詳しくは、ディスプレイ部と本体部とから構成され、ディスプレイ部が本体部に対して所定の角度で展開されると共に、チルト状態で水平方向に回転することができ、本体部を傾斜させて使用できるようにした携帯用電子機器に関する。
【背景技術】
【０００２】
本明細書では、本発明による携帯用電子機器を、携帯用電子機器としてノートＰＣ兼用のタブレットコンピュータを例に挙げて説明する。しかし、本体部とディスプレイ部とが互いに重なり合うように折り畳まれたり、展開されたりする種々の電子機器、例えば、ノートＰＣ、携帯電話、タブレットコンピュータなどに適用することができる。
【０００３】
図１１Ａ〜図１１Ｃは、従来の技術による回転ヒンジ(swivel hinge)を備えた携帯用電子機器の構成を示す概略斜視図である。図示されたように、本体部１の内部には、メインボード、ハードディスクドライブなどの種々の部品が備えられている。本体部１の上面には、入力装置の一つであるキーボード３が備えられている。本体部１の一端には、ディスプレイ部５が連結されている。ディスプレイ部５としては、一般に液晶ディスプレイ（ＬＣＤ）が多く用いられている。
【０００４】
ディスプレイ部５は、本体部１に対して折り畳まれたり、展開されたりするように回動するとともに、本体部１の正面から見て水平方向にも回転する。このため、本体部１とディスプレイ部５とは、回転ヒンジ組立体７を介して連結されている。
【０００５】
回転ヒンジ組立体７は、ディスプレイ部５が回転板７ｒを中心として水平方向に回転するようにし、連結板７ｃの一端部は回転板７ｒに連結される。垂直方向の回転軸線は、回転板７ｒによって形成される円弧の接線方向に沿って、回転板７ｒの縁部に位置している。
【０００６】
このように、従来の技術においては、ディスプレイ部５は、本体部１を正面から見て垂直方向に回動する。即ち、ディスプレイ部５は、連結板７ｃの一端部を中心として、本体部１に対して折り畳まれたり、展開されたりするように回動する。同時に、ディスプレイ部５は、回転板７ｒに備えられた水平方向の回転軸線を基準として、水平に回転する。
【０００７】
従って、ディスプレイ部５は、様々な位置に回転させて使用することができ、特に、図１１Ｃに示すように、その背面を本体部１の上面に当接させて使用することができる。このように、ディスプレイ部５の背面を本体部１に当接させて使用することが可能であるため、タブレットコンピュータとして使用することもできる。
【０００８】
しかし、上記のような従来の技術においては、以下のような問題点がある。先ず、キーボード３を用いて入力作業を行うとき、キーボード３を傾斜して配置するための構造がなかった。従って、キーボード３による入力作業が比較的難しくなるという問題点があった。また、本体部１の上面のキーボード３が設けられた部分を除いたその他の領域には、ディスプレイ部５の回転のために、他の部品を設けることができない。従って、回転ヒンジ組立体７を用いる携帯用電子機器の空間活用性が低下するという問題点があった。また、ディスプレイ部５をタブレットコンピュータとして使用する場合、入力のためのスタイラスペンを保管するために、本体部１やディスプレイ部５自体に保管部を形成するしかない。しかし、携帯用であるという特徴上、本体部１やディスプレイ部５は、何れも利用可能な内部空間が限定されるという問題点があった。
【０００９】
さらに、従来の携帯用電子機器においては、折り畳まれた状態でも本体部１に対してディスプレイ部５が水平方向に容易に回転するようになっている。これにより、特に携帯時に、ディスプレイ部５が本体部１に対して回転することになり、携帯に不便であるという問題点もあった。これを防止するためには、ディスプレイ部５の水平方向の回転時に大きな力を必要とするように設計しなければならないが、このようにすると、使用者の不便性が増大するという問題点もある。
【発明の開示】
【発明が解決しようとする課題】
【００１０】
本発明は、上記問題点に鑑みてなされたものであり、回転ヒンジ組立体を用いる電子機器において、本体部を傾斜させて使用できるようにすることを目的とする。
【００１１】
また、本発明は、回転ヒンジ組立体を用いる電子機器において、ディスプレイ部や本体部の後段の空間を最大限に活用できるようにすることを他の目的とする。
【００１２】
また、本発明は、回転ヒンジ組立体を用いる電子機器において、タブレットコンピュータ機能の採用をより容易にすることをさらに他の目的とする。
【００１３】
また、本発明は、回転ヒンジ組立体を用いる電子機器において、ディスプレイ部の不測の回転を防止することをさらに他の目的とする。
【課題を解決するための手段】
【００１４】
上記の目的を達成するため、本発明による携帯用電子機器は、下部ボディと、前記下部ボディと一端が連結されて開閉可能な上部ボディと、前記下部ボディの後端にヒンジ結合されるスタンドとを備え、前記スタンドは、前記下部ボディの高さを調節することを特徴とする。
【００１５】
前記上部ボディは、ノートＰＣなどのディスプレイ部やタブレットコンピュータであり、前記下部ボディは、少なくとも一つの入力部を備えることが好ましい。
【００１６】
前記スタンドは、前記下部ボディの左右の幅と同じ長さを有しかつ前記上部ボディ及び前記下部ボディの厚さに相当する幅を有することが好ましい。
【００１７】
前記スタンドは、前記上部ボディ及び前記下部ボディの少なくとも一つの側面の長さに相当する長さを有する支持バーと、前記支持バーから垂直に延長されて前記下部ボディの後端にヒンジ結合される少なくとも一つのヒンジ連結バーとから構成される。
【００１８】
本発明によるチルトスタンドを備えた携帯用電子機器は、本体部と、前記本体部に回転自在に連結され、入力内容などが表示されるディスプレイ部と、前記本体部の後端に回転自在に連結され、前記本体部の後端の高さを調節するように設けられているチルトスタンドとを備えることを特徴とし、特に、前記本体部は、少なくとも一つの入力装置を備えることを特徴とする。
【００１９】
前記チルトスタンドは、前記本体部の後端の側面の長さに対応する長さを有する支持バーを備え、前記チルトスタンドは、前記支持バーから延長されて前記本体部の後端にヒンジ結合される少なくとも一つのヒンジ連結バーをさらに備え、前記支持バーは、前記本体部と前記ディスプレイ部の後端との間の間隔に該当する幅を有し、前記本体部の後端上面と前記ディスプレイ部の後端に対応する位置に、前記ヒンジ連結バーの先端を中心として回転自在に設けられることを特徴とする。
【００２０】
前記ヒンジ連結バーの回転軸線は、前記本体部の後端の下側部分に位置する。
【００２１】
前記チルトスタンドは、前記ディスプレイ部を通じた入力を可能にする入力ペンが挿入されるペン挿入部をさらに備える。
【００２２】
本発明によるチルトスタンドを備えた携帯用電子機器は、前記本体部と前記ディスプレイ部とを連結して前記ディスプレイ部を垂直方向及び水平方向に回転可能とする回転ヒンジ組立体をさらに備え、前記回転ヒンジ組立体は、前記本体部に固定される第１のフレームと、前記ディスプレイ部に連結され、ほぼ垂直方向に延びる軸線回りに前記第１のフレームに対してほぼ水平面内で前記ディスプレイ部の回転を可能にする第２のフレームと、前記ディスプレイ部をほぼ水平方向に延びる回転軸線回りに回転可能とするほぼ水平方向に延びる回転軸とを備えることを特徴とし、前記第２のフレームは、前記本体部の後端に対応する部分やこの部分に対称的な部分に切断部を有する。
【発明の効果】
【００２３】
このように構成される本発明によれば、携帯用電子機器の使用上の便宜性、及び本体部やディスプレイ部の内部の設計自由度を向上することができる。
【００２４】
本発明によるチルトスタンドを備えた携帯用電子機器によれば、チルトスタンドを使用して本体部の後端を相対的に高くすることにより、キーボードを傾けて配置することが可能となり、キー入力作業を容易にすることができる。
【００２５】
また、本発明によれば、ディスプレイ部がタブレットコンピュータとして使用される場合、チルトスタンドに入力ペンためのペン挿入部を設けることにより、本体部やディスプレイ部の内部空間を有効に活用することができる。
【００２６】
また、本発明によるチルトスタンドは、本体部に対してディスプレイ部が不測の回転をすることを防止する役割を果たし、特に、本体部にディスプレイ部が折り畳まれた状態におけるディスプレイ部の不測の回転が防止され、使用者の便宜性が向上する。
【発明を実施するための最良の形態】
【００２７】
以下、本発明の好ましい実施の形態を、添付図面に基づいて詳しく説明する。図１Ａは、本発明の好ましい実施の形態における携帯用電子機器を後方から見た斜視図、図２は、同実施の形態を前方から見た斜視図、図３は、本発明の実施の形態における携帯用電子機器が折り畳まれた状態を示す斜視図、図４は、本発明の実施の形態における回転ヒンジ組立体を示す斜視図、図５は、図４の回転ヒンジ組立体の側面図である。
【００２８】
図示されたように、本発明の実施の形態における携帯用電子機器は、いわゆるノートＰＣのように、基本的に、互いに重なり合うように折り畳まれたり、展開されたりする本体部１０とディスプレイ部３０とを備えている。本体部１０の上面には、キーボード２０が備えられ、このキーボード２０は、入力装置の一つであり、文字、数字、記号などを入力できる多数のキーからなっている。本体部１０は、その上面に、さらに他の入力装置、例えば、タッチパッドやポインティングスティックなどを備えている。本体部１０は、その内部に、メインボード、ハードディスクドライブなどを備えていても良い。
【００２９】
ディスプレイ部３０としては、タッチスクリーンやＬＣＤなどを使用することができる。本実施形態において、ディスプレイ部３０はタブレットコンピュータとして構成されるものとする。このとき、ディスプレイ部３０にはタッチスクリーンが使用され、ディスプレイ部３０自体を通じて入力が可能となる。
【００３０】
また、本体部１０やディスプレイ部３０の機能は、多様に組み合わせることができる。例えば、ノートＰＣのように、本体部１０には、メインボードやハードディスクドライブなどが備えられ、ディスプレイ部３０は、入力機能を有することなく表示機能のみを備えていても良い。または、ディスプレイ部３０をタブレットコンピュータとして構成し、本体部１０は、メインボードを有することなく追加的な入力装置を備えていても良い。
【００３１】
さらに、本体部１０とディスプレイ部３０とが連結される本体部１０の後端には、チルトスタンド４０が備えられている。チルトスタンド４０は、本体部１０の後端を先端に比べて相対的に高くする。このように、チルトスタンド４０を使用すると、キーボード２０の後端が先端よりも高くなり、キー入力作業がより容易になる。
【００３２】
チルトスタンド４０は、およそ本体部１０の左右の長さ分の長さを有して本体部１０が載置される面上に選択的に支持される支持バー４２と、支持バー４２から垂直に延長されて本体部１０にヒンジ結合されるヒンジ連結バー４３とから構成される。ヒンジ連結バー４３は、その先端部が本体部１０にヒンジ(図示せず)を中心として回転自在に連結され、他端部が支持バー４２に連結される。
【００３３】
ヒンジ連結バー４３が本体部１０にヒンジ結合される部分は、本体部１０の後端の相対的に下側の部分に該当する。つまり、本体部１０の中間の高さよりも低い位置でヒンジ結合されることが好ましい。これは、支持バー４２を本体部１０の後端の上側部分に密着して固定し、一方、支持バー４２が載置面上に支持されるときには、本体部１０の後端の高さを高めるためである。
【００３４】
このようなヒンジ連結バー４３は、支持バー４２の長さを考慮して少なくとも２つ以上備えることが好ましい。チルトスタンド４０は、支持バー４２を本体部１０に連結するヒンジに一定以上の力が加えられたときにのみ回転できるようにすることが好ましい。これは、チルトスタンド４０が、その使用中に、外部からの小さな力によって不測の回転をすることを防止するためである。
【００３５】
例えば、図１Ｂに示すように、ヒンジ連結バー４３は、旋回軸４３ａを備えていても良い。旋回軸４３ａは、本体部１０の後方部分または図１Ｃに示すようなコネクター４８に設けられた孔に嵌合するように構成されている。図１Ｃに示すコネクター４８は、本体部１０に取り付けられていても、または、本体部１０と一体に形成されていても良い。図１Ｃ〜図１Ｅの実施形態において、コネクター４８は、本体部１０に設けられた孔１０ａと嵌合するように構成されている。コネクター４８は、このコネクターをネジ１０ｂにより本体部１０に取り付けるための内孔４８ｄをさらに含み、また、図１Ｄに示すヒンジ連結バー４３の旋回軸４３ａに嵌合するように設けられた内孔４８ｃを含む。図１Ｃのコネクターは、本体部１０に設けられた孔１０ａに嵌合するように延長して突設されたアーム４８ｂをさらに備えている。
【００３６】
図１Ｂの実施形態において、ヒンジ連結バー４３は、図１Ｃに示すコネクター４８の各溝４９ａ、４９ｂ、４９ｃと嵌合するように構成された突出部４３ｂが設けられている。チルトスタンド４０が本体部１０に対して回転すると、突出部４３ｂが各溝４９ａ、４９ｂ、４９ｃの何れかに嵌合するまでチルトスタンド４０が回転することになる。例えば、突出部４３ｂが溝４９ｂに嵌合すると、溝４９ｂから突出部４３ｂを押し出す程度に十分な回転力がチルトスタンド４０に加えられるまでは、突出部４３ｂと溝４９ｂとの嵌合によってチルトスタンド４０がその位置に固定される。チルトスタンド４０は、突出部４３ｂが他の溝４９ａまたは４９ｃに嵌合するまで、容易に回転する。このような方法で、チルトスタンド４０に十分な外力が加えられるまで、突出部４３ｂとそれぞれの溝４９ａ、４９ｂ、４９ｃの何れかとの嵌合によってチルトスタンド４０の位置が一定に保持される。
【００３７】
チルトスタンド４０は、本体部１０の後端に備えられ、それを使用しないときには、図３に示すように、本体部１０の後端の上側部分に固定される。チルトスタンド４０を使用するとき、即ち、本体部１０を傾けて使用するときには、図１Ａに示すように、本体部１０が載置される面上に支持バー４２が支持される。
【００３８】
チルトスタンド４０には、スタイラスペン４５が挿入されるペン挿入部４７が設けられている。ペン挿入部４７は、支持バー４２の長手方向に設けられる。ペン挿入部４７は、チルトスタンド４０の一端部にその開口が対応するように設けることが好ましい。ペン挿入部４７に挿入されるスタイラスペン４５は、ディスプレイ部３０がタブレットコンピュータとして構成される場合に必要である。
【００３９】
支持バーの一面、好ましくは、載置面と当接する面に、載置面との接触の際に衝撃吸収作用を有する緩衝部材４４が設けられている。緩衝部材としては、ゴム、プラスチックなどの弾性部材が好ましい。
【００４０】
図４及び図５に、本体部１０とディスプレイ部３０とを連結する回転ヒンジ組立体の実施形態を示す。回転ヒンジ組立体５０は、ディスプレイ部３０が本体部１０の正面から見て垂直方向に回転すると共に、水平方向にも回転できるようにするものである。
【００４１】
ここで、回転ヒンジ組立体５０の構成を説明すると、回転ヒンジ組立体５０は、大別して、本体部１０に取り付けられる第１のフレーム５１と、この第１のフレーム５１に対して相対的に回転し、ディスプレイ部３０に連結してディスプレイ部３０と共に動作する第２のフレーム５５とから構成される。
【００４２】
第１のフレーム５１は、本体部１０に固定されるものであり、その上面には、ディスプレイ部３０の水平回転の中心となる水平回転軸５２が設けられている。第１のフレーム５１の下面には、固定ピン５３が複数個突設されている。固定ピン５３は、本体部１０の対応する凹部に嵌入して回転ヒンジ組立体５０を本体部１０に強固に固定する。
【００４３】
第２のフレーム５５は、水平回転軸５２を中心として第１のフレーム５１に対して相対的に回転する。第２のフレーム５５には、略円板状のベース５６が備えられている。ベース５６は略円板状であり、その周縁部が、所定の曲率を有する円形部５６ｒと直線状に形成される切断部５６ｃとから構成される。切断部５６ｃは、ベース５６の両側に対称的に設けられる。つまり、ベース５６は、上面図で見たときに、切断部５６ｃが切断された円板状である。
【００４４】
切断部５６ｃは、本体部１０の正面から見てディスプレイ部３０が水平方向に回転しない状態、または１８０°回転した状態において、本体部１０の後端から突出することなく、本体部１０の後端面の一部を形成する。
【００４５】
ベース５６の上面の中央を横切って切断部５６ｃと平行に回転部ハウジング５７が突設される。回転部ハウジング５７は、丸みのある外面を有する。回転部ハウジング５７の両端は開口し、その内部は長手方向に貫通している。回転部ハウジング５７は、ディスプレイ部３０の対応する凹溝部に配置される。
【００４６】
回転部ハウジング５７内部の中央には、水平回転軸５２が配置される。さらに、回転部ハウジング５７の内部を挿通して垂直回転軸５８が設けられている。垂直回転軸５８は、ディスプレイ部３０の垂直回転のための回転軸となる。垂直回転軸５８の両端には、ディスプレイ部３０との連結のための連結バー５９が設けられる。連結バー５９は、ネジなどの締結手段によりディスプレイ部３０に締結され、垂直回転軸５８とディスプレイ部３０とが一体に第２のフレーム５５に対して回転可能となる。このとき、垂直回転軸５８を中心としたディスプレイ部３０に対する回転は、一定以上の力が加えられたときにのみ可能となることが好ましい。
【００４７】
第２のフレーム５５はディスプレイ部３０と締結されるが、ベース５６は、本体部１０側に位置する。よって、第２のフレーム５５の回転を円滑にするためには、本体部１０にベース５６の直径と同じ長さの直径を有する開口部が設けられている必要がある。しかし、切断部５６ｃの存在により、ディスプレイ部３０が水平回転していない状態や、１８０°回転した状態では、切断部５６ｃと接する部分が開放された状態となる。
【００４８】
このような開放領域を遮蔽するために、本実施形態では、遮蔽板６０を使用する。本実施形態においては、遮蔽板６０は、第１のフレーム５１に連結され、第２のフレーム５５が回転するときには、本体部１０の内部に収納され、ディスプレイ部３０が水平回転していない状態や１８０°回転した状態では、切断部５６ｃに対応する開口部７０を遮蔽する役割を果たす。従って、遮蔽板６０は、その弦の長さが円板状のベース５６の切断部５６ｃの長さに相当する弓形となる。
【００４９】
遮蔽板６０の下方には連結脚６１が延在し、連結脚６１の先端は、第１のフレーム５１の支持部６４に、ヒンジピン６１ｐを中心として回動自在に取り付けられている。支持部６４は、第１のフレーム５１と一体に設けても良い。
【００５０】
遮蔽板６０には、円形状の周縁部に沿って段差部６２が設けられる。段差部６２は、本体部１０内に配置され、遮蔽板６０が開口部を遮蔽するときに、遮蔽板６０の上面がベース５６の上面と同じ高さになる。遮蔽板６０の切断部５６ｃに対応する部分には、案内傾斜面６２'が設けられる。案内傾斜面６２'は、切断部５６ｃに対向して下向きに傾斜するように形成される。勿論、切断部５６ｃには、対応する傾斜面５６ｃ’が設けられる。
【００５１】
遮蔽板６０には、支持部６４に固定された弾性部材６６による弾性力が作用する。弾性部材６６は、遮蔽板６０を、その上面がベース５６の上面と同じ高さとなる方向に付勢する。
【００５２】
以下、このように構成された本発明による携帯用電子機器の動作について詳しく説明する。先ず、本発明の実施の形態における携帯用電子機器の使用状態について説明する。図３は、本体部１０とディスプレイ部３０とが折り畳まれた状態を示しており、この状態は、電子機器を携帯して移動する場合に相当する。また、図１Ａ及び図２は、ディスプレイ部３０が垂直回転軸５８を中心として垂直回転した状態を示しており、この状態は、キーボード２０などを介して入力作業を行う場合に相当する。勿論、このような場合でも、ディスプレイ部３０の表面にスタイラスペン２５を接触させて入力作業を行うことができる。スタイラスペン４５は、チルトスタンド４０の一端側に開口したペン挿入部４７に挿入されている。チルトスタンド４０は、その内部に別の構成要素を有さないため、ペン挿入部４７を容易に形成することができる。
【００５３】
図１Ａ及び図２の状態で、ディスプレイ部３０が水平回転軸５２を中心として回転した状態を図６に示す。即ち、ディスプレイ部３０は垂直回転軸５８を中心として回転し、次に、水平回転軸５２を中心として回転している。ディスプレイ部３０は、垂直回転軸５８を中心として殆ど１８０°程度の回転が可能であり、水平回転軸５２を中心として３６０°の回転が可能である。
【００５４】
また、図１Ａ及び図２の状態で本体部１０のキーボード２０を用いる場合、チルトスタンド４０が載置面上に支持されるようにすることが好ましい。このようにすると、本体部１０の後端が相対的に高くなり、キーボード２０が傾斜して配置される。これにより、使用者は、キー入力作業をより容易に行うことが可能となる。一方、チルトスタンド４０は、図３及び図７に示す状態において、ディスプレイ部３０が水平回転軸５２を中心として不測の回転をすることを防止する機能を果たす。即ち、チルトスタンド４０が本体部１０の後端上面に装着され、ディスプレイ部３０の一端部を支持するようになり、ディスプレイ部３０の不測の回転を防止する。
【００５５】
次に、水平回転軸５２を中心としてディスプレイ部３０が回転する場合には、遮蔽板６０が動作する。先ず、図１Ａ及び図２に示すように、ディスプレイ部３０が水平回転軸５２を中心として回転していないか、または１８０°回転した状態では、遮蔽板６０は、本体部１０の上面と殆ど同じ平面上に位置する。このような状態は、図４及び図５にも示されており、回転ヒンジ組立体５０が設けられた本体部１０の開口部が遮蔽されている状態となる。
【００５６】
遮蔽板６０は、ディスプレイ部３０の回転、即ち、ベース５６の回転により昇降される。ディスプレイ部３０が図１Ａ及び図２の状態から水平回転軸５２を中心として回転し始めると、遮蔽板６０の案内傾斜面６２'と当接していた切断部５６ｃの傾斜面５６ｃ'が遮蔽板６０の傾斜面６２'を押し始める。これによって、遮蔽板６０は、弾性部材６６の弾性力に打ち勝ってヒンジピン６１ｐを中心として回転し、下降し始める。このような状態を図８の（ａ）及び（ｂ）に示している。
【００５７】
ディスプレイ部３０がさらに回転すると、遮蔽板６０は、ベース５６の下面により押圧される。このような状態を、図９の（ａ）及び（ｂ）に示す。さらに、ディスプレイ部３０が９０°回転した状態を、図１０の（ａ）及び（ｂ）に示す。このような状態では、遮蔽板６０がベース５６の下部により押圧された状態が維持される。さらに、図１０の（ａ）及び（ｂ）の状態から、順方向または逆方向に９０°回転すると、遮蔽板６０は、ベース５６によって押圧されず、弾性部材６６の復元力により元の状態に復元され、本体部１０の開口部を閉鎖する。
【００５８】
以上、本発明を、上記実施形態を参照して詳細に説明及び図示したが、本発明は、これに限定されるものでなく、当業者にとっては、本発明の基本的な技術的思想を逸脱しない範囲内で他の多くの変更が可能であろう。また、本発明は、添付の特許請求の範囲により解釈されるべきであることは言うまでもない。
【図面の簡単な説明】
【００５９】
【図１Ａ】本発明に係る回転ヒンジ組立体を備えた携帯用電子機器の好ましい実施の形態を後方から見た斜視図である。
【図１Ｂ】本発明の一実施形態におけるチルトスタンドの一部を示す背面図である。
【図１Ｃ】本発明の一実施形態におけるコネクターを示す斜視図である。
【図１Ｄ】図１Ｃに示すコネクターと図１Ｂに示すチルトスタンドとの取り付け関係を示す斜視図である。
【図１Ｅ】本発明の一実施形態における本体部の底面図である。
【図２】本発明の一実施形態における携帯用電子機器を前方から見た斜視図である。
【図３】本発明の一実施形態における携帯用電子機器が折り畳まれた状態を示す斜視図である。
【図４】本発明の一実施形態における回転ヒンジ組立体の構成を示す斜視図である。
【図５】本発明の一実施形態における回転ヒンジ組立体の構成を示す側面図である。
【図６】本発明の一実施形態における携帯用電子機器において、ディスプレイ部が水平方向に回転する使用状態を示す斜視図である。
【図７】本発明の一実施形態における携帯用電子機器において、ディスプレイ部の背面が本体部の上面に固定された使用状態を示す斜視図である。
【図８】（ａ）は、本発明の一実施形態における回転ヒンジ組立体において、遮蔽板の動作過程を順次示す平面図であり、（ｂ）は、その側面図である。
【図９】（ａ）は、本発明の一実施形態における回転ヒンジ組立体において、遮蔽板の動作過程を順次示す平面図であり、（ｂ）は、その側面図である。
【図１０】（ａ）は、本発明の一実施形態における回転ヒンジ組立体において、遮蔽板の動作過程を順次示す平面図であり、（ｂ）は、その側面図である。
【図１１Ａ】従来の技術による回転ヒンジ組立体を備えた携帯用電子機器の構成を示す概略斜視図である。
【図１１Ｂ】従来の技術による回転ヒンジ組立体を備えた携帯用電子機器の構成を示す概略斜視図である。
【図１１Ｃ】従来の技術によりディスプレイ部の背面が本体部に重なり合って折り畳まれた状態を示す斜視図である。
【符号の説明】
【００６０】
１０    本体部
３０    ディスプレイ部
４０    チルトスタンド
４２    支持バー
４３    ヒンジ連結バー
４５    スタイラスペン
４７    ペン挿入部
５０    回転ヒンジ組立体
５１    第１のフレーム
５２    水平回転軸
５５    第２のフレーム
５６    ベース
５６ｃ  切断部
５８    垂直回転軸
【図１Ａ】
2004342114.tif 000003
【図１Ｂ】
2004342114.tif 000004
【図１Ｃ】
2004342114.tif 000005
【図１Ｄ】
2004342114.tif 000006
【図１Ｅ】
2004342114.tif 000007
【図２】
2004342114.tif 000008
【図３】
2004342114.tif 000009
【図４】
2004342114.tif 000010
【図５】
2004342114.tif 000011
【図６】
2004342114.tif 000012
【図７】
2004342114.tif 000013
【図８】
2004342114.tif 000014
【図９】
2004342114.tif 000015
【図１０】
2004342114.tif 000016
【図１１Ａ】
2004342114.tif 000017
【図１１Ｂ】
2004342114.tif 000018
【図１１Ｃ】
2004342114.tif 000019